(57)【要約】      （修正有）【課題】テーブル及びスタンドミラーとしての二面性を有する商品を考案する。【解決手段】スタンドからミラーを取り外し、固定式スタンドをミラーが設置出来るように移動または回転を行い設置し、その上部にミラー裏面を設置し、ミラー表面をミラーテーブルとして使用する。スタンドの角度調整機能を調整し、ミラー表面を床面に水平調整・固定した後に、テーブル高を調整する為の機能を調整し、テーブル高を決め、ミラー表面をミラーテーブルとして使用する。ミラー表面が床面と水平になるようにスタンドの設置方法を変更することにより、ミラー表面をテーブル表面として使用することが可能である。【選択図】図３
0003122426.tif 000002
【実用新案登録請求の範囲】
【請求項１】
ミラー部分が丸型、楕円型、多角型の硝子などの様々な形に加工された多彩な色付きの素材で形成され、またミラーを支える部分がプラスチック、FRP、金属、木材、硝子、天然石などの素材で形成されたスタンドとミラーを組み合わせた従来の固定式スタンドミラーのミラー部分をスタンドから取り外し、ミラー表面をテーブルの表面として、またスタンドミラーのスタンド部分を、テーブルとして使用するミラーを支える台座として使用し、ミラー裏面にスタンドを固定または設置することにより、ミラーテーブル及びスタンドミラーとして使用出来る二面性を有したテーブルスタンドミラーを考案する。
【請求項２】
ミラー部分が丸型、楕円型、多角型の硝子などの様々な形に加工された多彩な色付きの素材で形成され、またミラーを支える部分がプラスチック、FRP、金属、木材、硝子、天然石などの素材で形成されたスタンドとミラーを一体化させた従来の一体型スタンドミラーの設置方法を変更して、ミラー表面をテーブルの表面として、またスタンド部分をテーブルの台座として使用することにより、ミラーテーブル及びスタンドミラーとして使用出来る二面性を有したテーブルスタンドミラーを考案する。
【請求項３】
ミラー部分が丸型、楕円型、多角型の硝子などの様々な形に加工された多彩な色付きの素材で形成されたミラーの裏面に、プラスチック、FRP、金属、木材、硝子、天然石などの素材で形成され、ミラーの角度及び高さを調整するための機能を有したスタンドを、ネジ、ボンド、両面テープなどを使用し、固定した従来のミラー角度調整機能及びミラー高伸縮機能付きスタンドミラーのミラー角度調整機能を調整し、ミラー表面をテーブルの表面として、またミラーを支えるミラー高伸縮機能付きスタンドをテーブルの台座として使用することにより、テーブルの角度及びテーブルの高さが調整可能なミラーテーブルとして利用することが出来るテーブル、及びスタンドミラーの二面性を有したテーブルスタンドミラーを考案する。
【考案の詳細な説明】
【技術分野】
【０００１】
本考案は、丸型、楕円型、多角型の硝子などの様々な形に加工された多彩な色付きのミラーに、固定式スタンドまたは角度調整機能及びミラーの高さを調整する為の機能を備えたスタンドを付加し、テーブル及びスタンドミラーとしての二面性を有する商品を考案する。限られた空間でミラーをテーブルとして使用しない場合には、ミラーのスタンドの角度調整機能及びミラー高伸縮機能、またはミラーを支えるスタンドを調整または設置方法の変更を行い、スタンドミラーとして利用することが出来る。その為、省スペース化の確立をはかることが可能である。また、角度調整機能及びミラー高伸縮機能のスタンドを使用する場合には、斜面対応のミラーテーブルとして使用することも可能である。また、ミラー背面にミラー飛散防止カバーもしくはミラー飛散防止フィルムを施工することにより、災害・不慮の事故等不測の事態が発生した場合でもミラー飛散による災害を抑制することが出来る。
【背景技術】
【０００２】
従来のスタンドミラーは単に物体を写すこと、またデザインのみに重点を置き、ミラーとしての利便性を深く追求されていなかった。スタンドミラーとして使用しない場合には空間の有効利用が出来ず、限られた空間での使用に関しては、非常に収納しづらいものであった。従来のテーブルに関しても、サイズは様々だが、テーブルとして使用しない場合の収納は容易ではなく、単にテーブルとしての使用のみに限られていた。
【考案の開示】
【考案が解決しようとする課題】
【０００３】
一つの製品がテーブル及びスタンドミラーの二面性を有することにより、収納少スペース化が実現される。また、製品によっては収納・設置をスムーズに行う事が出来るようにスタンドにローラー固定式キャスターを付ける。またテーブル表面をミラーとすることにより、空間の光をテーブル上部に拡散し、拡散した光によって省エネルギー化を実現する。
【０００４】
リサイクル化が進む現代で、テーブルとスタンドミラーの二つの機能を一つにすることにより、地球資源の削減も可能となり、環境に優しい製品開発が可能となる。また、災害・不慮の事故等不測の事態が発生した場合でもミラー飛散による災害を抑制するための対策を行う。
【０００５】
スタンドミラー角度調整機能及びミラー高伸縮機能のスタンドを使用した場合には、斜面でのテーブル設置及びテーブル面の水平を維持することが可能となる。
【課題を解決するための手段】
【０００６】
製品の安全性を向上させる為に、ミラー裏面にミラー飛散防止カバーもしくはミラー飛散防止フィルムを使用し、テーブルとしての安全性の確保及びスタンドミラーとしての安全性を高める。
【０００７】
スタンドミラーのミラー表面をテーブルとして使用している場合に、スタンドミラーとして収納及び使用したい場合には、スタンドの角度調整機能及びミラー高伸縮機能を調整することにより、従来のスタンドミラーとして使用出来る。また、固定式のスタンドの場合にはテーブルとして使用しているミラーをスタンドから取り外し、スタンドの設置方法を変更した後にミラー裏面をスタンドに設置すると、従来のスタンドミラーとして使用・収納を行うことが出来る。製品によってはスムーズに収納・設置を行う為に、スタンドにローラー固定式キャスターを使用する。
【０００８】
逆に、スタンドミラーのミラー表面をスタンドミラーとして使用している場合で、角度調整機能及びミラー高伸縮機能スタンドを使用し、ミラー表面をテーブル表面として使用したい場合には、ミラー表面をテーブル表面として地面または床面に水平を保つようにミラー角度調整機能の調整、及びミラー高伸縮機能の調整を行うと、ミラーテーブルとして使用することが出来る。また、固定式スタンドを使用している場合には、スタンドからミラーを取り外し、スタンドの設置方法を変更し、スタンドの上部にミラー裏面を設置することにより、ミラー表面を固定式ミラーテーブルとして使用出来る。また、一体型スタンドミラーの場合にはスタンドの設置方法を変更することにより、ミラー表面をテーブル表面として使用することが可能である。
【考案の効果】
【０００９】
本願の主要な考案は、固定式・一体型スタンドミラーまたは角度調整機能及びミラー高伸縮機能スタンドミラーのミラーを利用し、ミラー表面をテーブルの表面として有効活用を行い、また現在実用されているテーブルの非収納性を改善すること、そして一つの製品がテーブルとスタンドミラーの二面性を有することにより、地球資源削減を可能とし、環境に優しい製品開発を行うことを目的とする。
【００１０】
また、ミラー表面をテーブル表面として利用することにより、空間内の光を下部から上部へ拡散し、少エネルギー化が図れる為、現在実用されているテーブル及びスタンド分野に革命を及ぼし、新製品の開発及び新デザインの改革を行うことが可能となる。
【考案を実施するための最良の形態】
【００１１】
まず、固定式テーブルスタンドミラーのミラー部について説明を行う。
図１の１−１はミラー表面を表しており、ミラーは通常のミラーのみならず様々な形・色のミラーを取り入れ、またミラー表面に絵文字などの細工を施す場合もある。次に１−２部分には、ミラー背面全体にミラー飛散防止カバーもしくはミラー飛散防止フィルムを施工し、更にラバー、シリコンなどの滑り止め加工を行う。これによって、災害・不慮の事故等不測の事態が発生した場合でもミラー飛散による災害を抑制することが出来、その上スタンドとテーブルのずれを抑制することが出来る。次に１−３は、ミラー加工状況によってはラバー、プラスチックなどでミラー外曲面の露出をカバーする。
【００１２】
次に固定式テーブルスタンドミラーのスタンド部について説明を行う。
図１のスタンド部の素材は、プラスチック、FRP、金属、木材、硝子、天然石などを素材とし、１−４の上部には、ラバー、シリコンなどの滑り止め加工を行い、ミラーをスタンドに設置した場合の固定力を高める。１−５に関しては、１−４に対して垂直に固定及び２−１のように１−５へ折畳み、水平固定出来るよう１−４と１−５の間に固定・折畳み金具などの構造を使用する。また固定式テーブルスタンドミラーをテーブルとして使用する場合には、１−５を１−４に対して垂直に固定し、１−６と同じ高さでスタンドの支柱として使用する。
【００１３】
実際に固定式テーブルスタンドミラーをテーブルとして使用する場合には、テーブルとして使用する丸型、楕円型、多角型などの様々な形・色の１−９を支える為に、様々な形状からなる１−１０を図１のスタンド上部１−４に対して１−９を水平に設置する。テーブルとしての安定性、耐久性を向上させる為に、１−６に対して１−７を取り付ける。
【００１４】
また、固定式テーブルスタンドミラーをスタンドミラーとして使用する場合には、１−９を１−１０から取り外し、１−１０を図２の２−４のように回転させて、１−５を１−４と水平に固定し、２−１の状態とし、テーブルとして使用していた１−９を２−３のように設置する。その際に、２−３下部を１−７の内側または２−２部分に固定し、ミラーの角度を調整する。１−８及び２−２は同じものであり、スライド固定方式などにより、２−３の角度を調整出来るものとする。
【００１５】
次に角度調整機能及びミラー高伸縮機能テーブルスタンドミラーのミラー部について説明を行う。図３の３−１はミラー表面を表しており、固定式テーブルスタンドミラーと同様にミラーは通常のミラーのみならず様々な形・色のミラーを取り入れ、ミラー表面に絵文字などの細工を施す場合もある。次に３−２部分には、ミラー背面全体にミラー飛散防止カバーもしくはミラー飛散防止フィルムの施工を行う。これによって、災害・不慮の事故等不測の事態が発生した場合でもミラー飛散による災害を抑制することが出来る。次に３−３は、ミラー加工状況によってはラバー、プラスチックなどでミラー外曲面の露出をカバーする。
【００１６】
次に角度調整機能及びミラー高伸縮機能テーブルスタンドミラーのスタンド部について説明を行う。図３のスタンド部の素材は、プラスチック、FRP、金属、木材、硝子、天然石などを素材とし、重量の軽い素材を使用した場合には、３−９の重量及び３−９上部の物体に絶え得るよう、スタンド下部の重量も調整する。３−４及び３−５の接点に関しては、粘着力の強い両面テープ、ボンドなどを使用して完全に固定を行う。
【００１７】
また、３−６のミラーテーブル高を調整する為の支柱伸縮装置は、３−７の内部に格納及び排出を可能とした二重構造を採用し、伸縮を固定する為の装置は３−６の回転圧縮装置などを使用し、ミラーテーブル高の調整を可能とする。また、テーブルスタンドミラーの重量によってはスムーズに移動、収納、設置を行う為に、キャスターローラーの固定が可能な３−８を取り付け使用する。
【００１８】
３−５に関しては、スタンド下面に対して垂直及び水平で固定可能な構造の金具などを使用し、また付随機能として、多段階にミラーの角度を容易に調整する為の機能も有するものとする。
【００１９】
実際に角度調整機能及びミラー高伸縮機能テーブルスタンドミラーをテーブルとして使用する場合には、テーブルとして使用する丸型、楕円型、多角型などの様々な形・色の３−９を支える３−５部をスタンド下面に対して水平で固定し、３−６を調整し、テーブル高の位置を決め、ミラーテーブルとして使用する。
【００２０】
また、角度調整機能及びミラー高伸縮機能テーブルスタンドミラーをスタンドミラーとして使用する場合には、図４の４−２を調整し、ミラーの高さを上げた状態で４−２を固定し、４−１の固定を解除し、ミラーとして使用する角度に調整を行う。
【００２１】
以上本願考案を図示の実施の形態によって説明したが、本願考案は上記実施の形態によって限定されることなく、本願考案の技術的思想の範囲内で各種の変更が可能である。たとえば、角度調整機能及びミラー高伸縮機能に使用する材料及び機能、並びに仕様に関して、また固定式スタンドの台座に使用する材料及び機能、並びに仕様、キャスター及びミラーの保護具などは、使用するミラー・スタンドによっても異なる。
【産業上の利用可能性】
【００２２】
スタンドミラーとテーブルの二面性を有することにより、限られたスペースでの有効利用が可能となり、１つの物が２つの役割を果たすことにより、地球資源削減を可能とし、環境に優しい製品開発を行うことが出来る。
【図面の簡単な説明】
【００２３】
【図１】固定式スタンドにミラーを設置し、テーブルとして使用する場合の斜視図面である。
【図２】固定式スタンドの設置方法を変更し、ミラーを設置してスタンドミラーとして使用する場合の斜視図面である。
【図３】角度調整機能及び伸縮機能付スタンドにミラーを固定し、テーブルとして使用する場合の斜視図面である。
【図４】角度調整機能及び伸縮機能付スタンドの調整を行い、スタンドミラーとして使用する場合の斜視図面である。
【符号の説明】
【００２４】
１−１    ミラー表面
１−２    ミラー背面
１−３    ミラー外縁
１−４    スタンド接触面
１−５    折畳式背板
１−６    床接触支柱
１−７    ミラー固定用留具
１−８    ミラー固定用可変式留具
１−９    ミラー本体
１−１０  スタンド本体
２−１    背板折畳部分
２−２    ミラー固定用可変式留具部分
２−３    ミラー本体
２−４    スタンド本体
３−１    ミラー表面
３−２    ミラー背面
３−３    ミラー外縁
３−４    スタンド接触面
３−５    角度調節機
３−６    伸縮固定装置
３−７    スタンド支柱
３−８    固定装置付キャスター
３−９    ミラー本体
３−１０  スタンド本体
４−１    角度調節機
４−２    伸縮固定装置
４−３    スタンド支柱
４−４    スタンド本体
４−５    ミラー本体
【図１】
0003122426.tif 000003
【図２】
0003122426.tif 000004
【図３】
0003122426.tif 000005
【図４】
0003122426.tif 000006
【手続補正書】
【提出日】平成18年3月29日(2006.3.29)
【手続補正１】
【補正対象書類名】実用新案登録請求の範囲
【補正対象項目名】全文
【補正方法】変更
【補正の内容】
【実用新案登録請求の範囲】
【請求項１】
ミラー部分が丸型、楕円型、三角型、四角型、多角型の硝子などの様々な形に加工された多彩な色付きの素材で形成され、またミラーを支える部分がプラスチック、FRP、金属、木材、硝子、天然石などこれらのいずれかの素材で形成されたスタンドとミラーを組み合わせ、ミラーテーブル及びスタンドミラーとして使用出来る二面性を有したスタンドミラー。
【請求項２】
ミラー部分が丸型、楕円型、三角型、四角型、多角型の硝子などの様々な形に加工された多彩な色付きの素材で形成され、またミラーを支える部分がプラスチック、FRP、金属、木材、硝子、天然石などこれらのいずれかの素材で形成されたスタンドとミラーの一部を一体化させ、ミラーテーブル及びスタンドミラーとして使用出来る二面性を有したスタンドミラー。
【請求項３】
ミラー部分が丸型、楕円型、三角型、四角型、多角型の硝子などの様々な形に加工された多彩な色付きの素材で形成され、またミラーを支える部分がプラスチック、FRP、金属、木材、硝子、天然石などこれらのいずれかの素材で形成されたスタンドとミラーを組み合わせ、テーブルの角度とテーブルの高さが調整可能なミラーテーブル及びミラーの角度とミラーの高さが調整可能なスタンドミラーの二面性を有したスタンドミラー。
【手続補正２】
【補正対象書類名】明細書
【補正対象項目名】０００１
【補正方法】変更
【補正の内容】
【０００１】
本考案は、丸型、楕円型、三角型、四角型、多角型の硝子などの様々な形に加工された多彩な色付きのミラーに、固定式スタンドまたは角度調整機能及びミラーの高さを調整する為の機能を備えたスタンドを付加し、テーブル及びスタンドミラーとしての二面性を有する商品を考案する。限られた空間でミラーをテーブルとして使用しない場合には、ミラーのスタンドの角度調整機能及びミラー高伸縮機能、またはミラーを支えるスタンドを調整または設置方法の変更を行い、スタンドミラーとして利用することが出来る。その為、省スペース化の確立をはかることが可能である。また、角度調整機能及びミラー高伸縮機能のスタンドを使用する場合には、斜面対応のミラーテーブルとして使用することも可能である。また、ミラー背面にミラー飛散防止カバーもしくはミラー飛散防止フィルムを施工することにより、災害・不慮の事故等不測の事態が発生した場合でもミラー飛散による災害を抑制することが出来る。
【手続補正３】
【補正対象書類名】明細書
【補正対象項目名】０００２
【補正方法】変更
【補正の内容】
【０００２】
スタンドミラーは単に物体を写すこと、またデザインのみに重点を置き、ミラーとしての利便性を深く追求されていなかった。スタンドミラーとして使用しない場合には空間の有効利用が出来ず、限られた空間での使用に関しては、非常に収納しづらいものであった。テーブルに関しても、サイズは様々だが、テーブルとして使用しない場合の収納は容易ではなく、単にテーブルとしての使用のみに限られていた。
【手続補正４】
【補正対象書類名】明細書
【補正対象項目名】０００７
【補正方法】変更
【補正の内容】
【０００７】
スタンドミラーのミラー表面をテーブルとして使用している場合に、スタンドミラーとして収納及び使用したい場合には、スタンドの角度調整機能及びミラー高伸縮機能を調整することにより、スタンドミラーとして使用出来る。また、固定式のスタンドの場合にはテーブルとして使用しているミラーをスタンドから取り外し、スタンドの設置方法を変更した後にミラー裏面をスタンドに設置すると、スタンドミラーとして使用・収納を行うことが出来る。製品によってはスムーズに収納・設置を行う為に、スタンドにローラー固定式キャスターを使用する。